(57)【特許請求の範囲】
【請求項１】
ユーザ機器および無線アクセス・ネットワーク基盤の間のデータ通信に割り当てられる無線資源の使用を促進する方法であって、前記無線アクセス・ネットワークが少なくとも基地局を備え、第１および第２のサービスのそれぞれをユーザ機器に提供するための第１および第２の周波数帯域で動作するようになされ、前記第１および第２のサービスを同時に使用するようなされたユーザ機器に関して、
−  前記ユーザ機器において、前記第１および第２のサービスの無線伝送の間の無線周波数共存問題の実際のまたは潜在的発生を検出するステップと、
−  前記ユーザ機器によって、前記検出された無線周波数共存問題に関する情報を送信するステップと、
保留中の通信を別の搬送周波数に切り替えるために、前記無線アクセス・ネットワーク基盤によって、該保留中の通信の再構成がトリガされるステップと、
を備え、
前記第１のサービスが対のスペクトルでユニキャスト・モードで提供され、前記第２のサービスが対になっていないスペクトルでブロードキャスト・モードで提供され、
前記第１および第２のサービスの無線伝送間の無線周波数共存問題の実際のまたは潜在的発生を検出する前記ステップが、前記第１および第２の周波数帯域の間の距離を、ＲＦ共存問題の実際のまたは潜在的発生に関するＵＥの無線周波数性能を反映する事前に定義された閾値と比較するステップと、
を更に備える、方法。
【請求項２】
前記第１および第２のサービスがそれぞれ第１および第２の周波数帯域で異なる無線二重技術で提供される、請求項１に記載の方法。
【請求項３】
前記第１および第２のサービスの無線伝送の間の無線周波数共存問題の実際のまたは潜在的発生を検出する前記ステップが、前記第１のサービスを使用しているユーザ機器に関して、前記第１のサービスの無線受信品質の劣化を検出するステップを含む、請求項１又は２に記載の方法。
【請求項４】
前記第１および第２のサービスの無線伝送の間の無線周波数共存問題の実際のまたは潜在的発生を検出する前記ステップが、前記第１のサービスを使用しているユーザ機器に関して、
−  前記第１のサービスの使用と同時の前記第２のサービスの使用を開始するステップと、
−  前記第１のサービスの使用と同時の前記第２のサービスの使用が不可能であるかひどく損なわれるかのいずれかであることを検出するステップと
を含む、請求項１乃至３のいずれか１項に記載の方法。
【請求項５】
ユーザ機器と、少なくとも基地局を備え第１および第２のサービスのそれぞれをユーザ機器に提供するための第１および第２の周波数帯域で動作するようになされた無線アクセス・ネットワーク基盤との間のデータ通信に割り当てられた無線資源の使用を促進するためのユーザ機器モジュールであって、コントローラ手段、無線周波数回路手段およびアンテナ手段を備え、前記コントローラ手段が、
−  前記第１および第２のサービスの無線伝送の間の無線周波数共存問題の実際のまたは潜在的発生を検出し、
−  検出された無線周波数共存問題に関する情報を生成し、前記無線アクセス・ネットワーク基盤に前記情報を送信し、
前記第１のサービスが対のスペクトルでユニキャスト・モードで提供され、前記第２のサービスが対になっていないスペクトルでブロードキャスト・モードで提供され、
前記第１および第２のサービスの無線伝送間の無線周波数共存問題の実際のまたは潜在的発生を検出する前記ステップが、前記第１および第２の周波数帯域の間の距離を、ＲＦ共存問題の実際のまたは潜在的発生に関するＵＥの無線周波数性能を反映する事前に定義された閾値と比較し、
保留中の通信を別の搬送周波数に切り替えるために、前記無線アクセス・ネットワーク基盤によって、該保留中の通信の再構成がトリガされる
ように適応された、ユーザ機器モジュール。
【請求項６】
前記コントローラ手段が、メモリ手段と結合され、前記メモリ手段から事前に定義された無線周波数共存閾値を取り出し、前記第１および第２の周波数帯域の間の前記距離を前記閾値と比較することによって、無線周波数共存問題の前記実際のまたは潜在的発生を検出するようにさらに適応された、請求項５に記載のユーザ機器モジュール。
【請求項７】
前記コントローラ手段がさらに、前記ユーザ機器が前記第１のサービスを使用しているときに、前記第１のサービスの無線受信品質の劣化を検出するように適応された、請求項５に記載のユーザ機器モジュール。
【請求項８】
前記コントローラ手段がさらに、前記ユーザ機器が前記第１のサービスを使用しているときに、
−  前記第１のサービスの使用と同時の前記第２のサービスの使用を開始するための前記無線周波数回路手段および前記アンテナ手段を動作させ、
−  前記第１のサービスの使用と同時の前記第２のサービスの使用が不可能であるかひどく損なわれるかのいずれかであることを検出する
ように適応された、請求項５乃至７のいずれか１項に記載のユーザ機器モジュール。
【請求項９】
請求項５乃至８のいずれか１項に記載のユーザ機器モジュールを備える、ユーザ機器。
【請求項１０】
デジタル処理モジュール、無線周波数処理モジュール、およびコントローラ・モジュールを備える、請求項９に記載のユーザ機器に第１および第２のサービスのそれぞれを提供するための第１および第２の周波数帯域で動作するように適応され、前記第１のサービスが対のスペクトルでユニキャスト・モードで提供され、前記第２のサービスが対になっていないスペクトルでブロードキャスト・モードで提供される、無線アクセス・ネットワーク内の基地局機器であって、前記デジタル処理モジュールが、ユーザ機器から受信される無線周波数共存問題に関する情報を受信および処理し、かかる情報を前記コントローラ・モジュールに送信するように適応され、
前記コントローラ・モジュールがさらに、それとの通信が保留中のユーザ機器の無線周波数共存問題に関する情報を受信したときに、異なる搬送周波数に前記保留中の通信を切り替えるように前記保留中の通信の再構成を前記無線周波数処理モジュールからトリガするようになされた、基地局機器。
【請求項１１】
プロセッサと結合されたメモリにロードされ得るコンピュータ・プログラム製品であって、前記プロセッサによってロードされ実行されるときに、請求項１乃至４のいずれか１項に記載の方法を実装するためのコンピュータ命令を備える、コンピュータ・プログラム。
【請求項１２】
請求項１乃至４のいずれか１項に記載の方法を実行するためのコンピュータ実行可能命令を含む、機械可読媒体。
【発明の詳細な説明】
【技術分野】
【０００１】
本発明は、無線資源の使用を促進する方法、ならびに本方法を実装するためのユーザ機器およびネットワーク基盤に関する。
【背景技術】
【０００２】
ビデオおよびマルチメディア・サービスのワイヤレス・ユーザからの近年の高まる需要は、第３世代のワイヤレス・ネットワークのためのマルチメディア・ブロードキャスト／マルチキャスト・サービス（ＭＢＭＳ）および統合モバイル・ブロードキャスト（ＩＭＢ）など、特定のサービス提供の開発を促進した。
【０００３】
第３世代のワイヤレス・ネットワークの一例は、第３世代パートナーシップ・プログラム（３ＧＰＰ）によって指定された、ユニバーサル・モバイル・テレコミュニケーション・システム（ＵＭＴＳ）である。ＵＭＴＳシステムのすべての３ＧＰＰ技術仕様書は、以下のＵＲＬアドレスで取得することができる：ｈｔｔｐ：／／ｗｗｗ．３ｇｐｐ．ｏｒｇ／Ｓｐｅｃｉｆｉｃａｔｉｏｎ−Ｎｕｍｂｅｒｉｎｇ。ＵＭＴＳは、国際電気通信連合−無線通信部門（ＩＴＵ−Ｒ）によるＵＭＴＳ技術に割り当てられるスペクトルにしたがって、２つの明確な二重モード、周波数分割二重通信（ＦＤＤ）および時分割二重通信（ＴＤＤ）について指定される。ＵＭＴＳシステムの、２０００年代初めの、第１の商業展開は、多くは、多年にわたりＵＭＴＳの名目モードとして見られていた、ＦＤＤモードに関係していた。しかし、いくつかの国内スペクトル割当て監督機関が、ＦＤＤモード専用のスペクトルならびにＴＤＤモード専用のスペクトルを含むオペレータへのＵＭＴＳライセンスを認めた。オペレータはその後、最初に実質的に未使用のままであった、ある特定の周波数スペクトル（ほとんどの場合に単一の５ＭＨｚ帯域）でＵＭＴＳシステム（ＴＤＤモードで）を動作させるライセンスを供与された状況にあった。
【０００４】
本明細書において、用語「周波数帯域」は、任意のセットの隣接無線周波数を指し、その一例は１つの周波数ｆｉｎｆ＿ｂｏｕｎｄからもう１つの明確な周波数ｆｓｕｐ＿ｂｏｕｎｄにおよび、但しｆｉｎｆ＿ｂｏｕｎｄ＜ｆｓｕｐ＿ｂｏｕｎｄである、一連の無線周波数である。
【０００５】
本明細書において、用語「無線端末」、「ユーザ機器」および「移動局」は、交換可能であり、無線通信リンク上の無線通信ネットワークとデータを交換する能力のある任意のタイプの固定またはモバイル（もしくは携帯）通信端末を指す。したがって、それは、なかんずく、ローカル・ルータまたはサーバに接続され、無線通信インタフェースを装備した電話またはデスクトップ・コンピュータ、携帯電話、無線通信インタフェースを装備したラップトップ・コンピュータまたはパーソナル・デジタル・アシスタント（即ちＰＤＡ）、無線通信インタフェースを装備したサーバまたはローカル・ルータでもよい。
【０００６】
ＦＤＤ二重モードで、周波数帯域は、通信の各方向に専用であり、つまり、アップリンク方向（移動局から無線アクセス・ネットワークへ）に１つの帯域、ダウンリンク方向（無線アクセス・ネットワークから移動局へ）に１つの帯域が専用となっている。両方向の２つの搬送周波数のこのスペクトル割当ては、対のスペクトルと称さされる。保護帯域は、２つのストリームの間の重複を回避し、相互干渉を最小限にするように、２つの対の周波数帯域の間の最小間隔を定義する。ＴＤＤモードで、アップリンクおよびダウンリンク信号は、時分割配列を用いて、同周波数帯域を共用する。また、保護時間が、２つのストリーム間の重複を回避し、相互干渉を最小限にするように、アップリンク通信に割り当てられた期間とダウンリンク通信に割り当てられた隣接期間との間に定義され得る。両方向についての単一の搬送周波数のこのスペクトル割当ては、対になっていないスペクトルと称される。対になっていないスペクトルは、特に、いわゆる非対称サービス、即ちアップリンク信号とダウンリンク信号に必要とされる伝送速度が不均衡であるサービス、によく適している。
【０００７】
ブロードキャスト・サービスは、それらがダウンリンク（ストリーミング・モードでのビデオの伝送など）に高い伝送速度を、アップリンクでの伝送速度ではない場合には低い伝送速度を必要とするため、かかる非対称サービスの一例である。ブロードキャストは、ソースが送信されるデータのアドレスを指定せずにデータを伝送する伝送モードである。ユニキャストはソースから１つの（一地点対一地点）またはいくつかの（一地点対多地点）アドレス（ネットワーク内のそれぞれのアドレスまたは他の識別情報によって識別される）へのデータの伝送を含むので、ブロードキャストは時に、ユニキャスト伝送モードの「反対」として見られる。ブロードキャストもまた、「戻り」通信チャネルがほとんどまたは全くない、即ちブロードキャスト・データを受信するネットワーク・ノードがブロードキャスト・ソースにデータを何もまたはほとんど送り返さない、という事実を特徴とする。
【０００８】
ＭＢＭＳ技術は、ＵＭＴＳ  ＦＤＤシステムの構成要素として、ブロードキャストおよびマルチキャスト・モードでモバイル・ユーザにマルチメディア・サービスを提供するために開発され、規定された。その一方、ＩＭＢは、ＴＤＤ二重モードを使用するモバイル・ユーザにブロードキャスト・サービスを配信するために開発された技術である。ＩＭＢは実際に、指定されたＵＴＲＡ  ＴＤＤモードの構成要素としての、３ＧＰＰリリース８規格の一部として定義された。その主な利点のうちの１つは、既に許可されたＴＤＤ周波数帯域の下での配備の用意ができており、したがって、対のおよび対になっていないスペクトルの両方で動作する増やされた容量の基盤ネットワークを介して広帯域サービスへの要求をオペレータが広げられるようにしつつ、許可されたＴＤＤスペクトルの使用不足を終わらせることである。
【０００９】
欧州では、１５５ＭＨｚの全スペクトルは、ＵＭＴＳアプリケーションに割り当てられ、各オペレータが許可されたこの全スペクトルの部分は対のスペクトルの最低２×１０ＭＨｚ、および対になっていないスペクトルの５ＭＨｚである。５ＭＨｚが２つのＵＭＴＳ搬送波の間に許された最低分離距離である（３，８４Ｍｃ／ｓのチップ速度を仮定して）と知ると、各ＵＭＴＳ搬送波は５ＭＨｚの周波数帯域を占める。いくつかの構成で、ＴＤＤ周波数帯域は、２つのＦＤＤ周波数帯域の間に位置することができ、または、１つのみのＦＤＤ周波数帯域に隣接し得る。かかる構成は、対になっていないスペクトル内でブロードキャスト・サービスを展開することを目的として、その無線アクセス基盤ネットワークにオペレータによって適用される周波数計画に相当し得る。
【００１０】
周波数スペクトル動作帯域は、ＦＤＤモードについては３ＧＰＰ技術仕様ＴＳ２５．１０４に、および、ＴＤＤモードについては、２００９年９月に３ＧＰＰによって発行された、「Ｂａｓｅ  Ｓｔａｔｉｏｎ（ＢＳ）  ｒａｄｉｏ  ｔｒａｎｓｍｉｓｓｉｏｎ  ａｎｄ  ｒｅｃｅｐｔｉｏｎ（ＴＤＤ）（Ｒｅｌｅａｓｅ  ８）」と題された、３ＧＰＰ技術仕様ＴＳ２５．１０５、Ｖ８．５．０に記載されている。たとえば、ＵＭＴＳ  ＦＤＤの動作帯域Ｉは、アップリンク方向について１９２０ＭＨｚから１９８０ＭＨｚにわたり、ダウンリンク方向について２１１０ＭＨｚから２１７０ＭＨｚにわたる。ＴＤＤについて、ダウンリンクおよびアップリンク伝送の両方のそれぞれの場合に、ＵＴＲＡＮ／ＴＤＤがそこで動作するように設計された周波数帯域のうちの１つは、１９００から１９２０ＭＨｚ、および２０１０から２０２５ＭＨｚにわたる。さらに詳細な情報は、２００９年９月に３ＧＰＰによって発行された、題名「Ｂａｓｅ  Ｓｔａｔｉｏｎ  （ＢＳ）ｒａｄｉｏ  ｔｒａｎｓｍｉｓｓｉｏｎ  ａｎｄ  ｒｅｃｅｐｔｉｏｎ（ＦＤＤ）（Ｒｅｌｅａｓｅ  ８）」の３ＧＰＰ技術仕様ＴＳ２５．１０４、Ｖ８．８．０の第５．２項、および、前述の３ＧＰＰ技術仕様２５．１０５、Ｖ８．５．０の第５．２項で見ることができる。
【００１１】
前述は、共通の境界（１９２０ＭＨｚの例で）で隣接するＦＤＤ周波数帯域およびＴＤＤ周波数帯域の一例を提供し、オペレータの配備シナリオで隣接ＴＤＤおよびＦＤＤ周波数帯域をもつ可能性が、技術仕様ＴＳ２５．１０５で扱われ、この仕様の第６．６項は、変調プロセスから生じるチャネル帯域幅のすぐ外側の排出として定義される、いわゆる帯放射外を対象とする。帯放射外はまた、２つの周波数帯域が共通の境界をもたないが、それらが、帯放射外を拒否するためのモバイル端末能力を考慮して小さい保護帯域によって相隔てられるという意味で、隣接するときに、モバイル端末で受信問題を作り出し得る。
【００１２】
モバイル・ユーザは、対になっていないスペクトルの搬送周波数で運ばれる無線チャネルで提供されるサービス（ブロードキャスト・サービスなど）を一斉に受信し、対のスペクトルの搬送周波数で運ばれる無線チャネルで提供されるサービス（データまたは音声サービスなどのユニキャスト・サービスなど）を使用したいことがあり、前記対のおよび対になっていないスペクトルは、前述のように互いに隣接する。これは、両方のサービスのモバイル・ユーザの同時使用が不可能になるまたは強く損なわれる結果をもたらす、無線周波数共存問題とも称される、隣接無線チャネル干渉問題を引き起こすことがある。
【００１３】
図１は、ＲＦ共存問題に遭遇され得る状況を説明する。図１に示すのは、２つの基地局１５、１６の無線通達範囲に相当する３つのセル１０、１１、１２である。２つの基地局１５、１６は、ＵＭＴＳ無線アクセス・ネットワークの部分であり、それぞれ、ＵＭＴＳ  ＴＤＤおよびＦＤＤ技術にしたがって動作している。無線アクセス・ネットワークのオペレータが、２１００ＭＨｚ（アップリンク方向については１９２０ＭＨｚから１９８０ＭＨｚ、ダウンリンク方向については２１１０ＭＨｚから２１７０ＭＨｚ）および９００ＭＨｚのＦＤＤ帯域でのユニキャスト・サービスと、２１００ＭＨｚのＴＤＤ帯域（１９００から１９２０ＭＨｚおよび２０１０から２０２５ＭＨｚ）でのＩＭＢサービスとを配備したと仮定し、１つの起こり得る無線周波数計画セットアップによれば、セル１１および１２は、それぞれ、９００ＭＨＺおよび２１００ＭＨｚのＦＤＤ周波数帯域でユニキャスト・サービスの無線通達範囲を提供することができ、一方、セル１０は、２１００ＭＨｚのＴＤＤ周波数帯域でＩＭＢサービスの無線通達範囲を提供することができる。かかる場合に、セル１０と１２の間に置かれたユーザ機器１７は、異なる二重技術でも、隣接周波数帯域で動作する２つのセル１０および１２の間に存在するＲＦ共存問題の結果を被り得る。
【先行技術文献】
【非特許文献】
【００１４】
【非特許文献１】ｈｔｔｐ：／／ｗｗｗ．３ｇｐｐ．ｏｒｇ／Ｓｐｅｃｉｆｉｃａｔｉｏｎ−Ｎｕｍｂｅｒｉｎｇ
【非特許文献２】２００９年９月に３ＧＰＰによって発行された、「Ｂａｓｅ  Ｓｔａｔｉｏｎ（ＢＳ）  ｒａｄｉｏ  ｔｒａｎｓｍｉｓｓｉｏｎ  ａｎｄ  ｒｅｃｅｐｔｉｏｎ（ＴＤＤ）（Ｒｅｌｅａｓｅ  ８）」
【非特許文献３】３ＧＰＰによって２００８年３月に発行された、３Ｇ  ＴＳ  ２５．３０１技術仕様「Ｒａｄｉｏ  Ｉｎｔｅｒｆａｃｅ  Ｐｒｏｔｏｃｏｌ」バージョン７．４．０
【非特許文献４】２００８年８月に発行された、ＴＳ２５．３３１技術仕様「ＲＲＣ  Ｐｒｏｔｏｃｏｌ  Ｓｐｅｃｉｆｉｃａｔｉｏｎ」、バージョン７．９．１
【非特許文献５】３ＧＰＰによって２００８年１２月に発行された、３ＧＰＰ  ＴＳ３６．３３１技術仕様「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｒａｄｉｏ  Ｒｅｓｏｕｒｃｅ  Ｃｏｎｔｒｏｌ  （ＲＲＣ）；  ｐｒｏｔｏｃｏｌ  ｓｐｅｃｉｆｉｃａｔｉｏｎ  （Ｒｅｌｅａｓｅ  ８）」、バージョン８．４．０
【発明の概要】
【発明が解決しようとする課題】
【００１５】
本発明の一目的は、ＲＦ共存問題の実際のまたは潜在的発生に関してモバイル端末の状況を改善することである。
【課題を解決するための手段】
【００１６】
これに関して、ユーザ機器および無線アクセス・ネットワーク基盤の間のデータ通信に割り当てられる無線資源の使用を促進するための方法が提供される。無線アクセス・ネットワーク基盤は、少なくとも基地局を備え、ユーザ機器にそれぞれ第１および第２のサービスを提供するための第１および第２の周波数帯域で動作するようになされる。本方法は、好ましくは前記第１および第２のサービスを同時に使用するようになされたユーザ機器に関して、前記第１および第２のサービスの無線伝送間の無線周波数共存問題の実際のまたは潜在的発生を検出するステップと、検出された無線周波数共存問題に関する情報を送信するステップとを備える。
【００１７】
一実施形態によれば、第１および第２のサービスは、それぞれ第１および第２の周波数帯域で異なる無線二重技術（たとえば時分割二重通信および周波数分割二重通信）で提供される。
【００１８】
一実施形態で、第１のサービスは、対のスペクトルでユニキャスト・モードで提供され、第２のサービスは、対になっていないスペクトルでブロードキャスト・モードで提供される。
【００１９】
一実施形態で、第１および第２のサービスの無線伝送の間の無線周波数共存問題の実際のまたは潜在的発生を検出するステップは、閾値と前記第１および第２の周波数帯域の間の距離を比較するステップを含む。
【００２０】
別法として、前記第１および第２のサービスの無線伝送間の無線周波数共存問題の実際のまたは潜在的発生を検出するステップは、第１のサービスを使用しているユーザ機器に関して、第１のサービスの無線受信品質の劣化の検出のステップを含み得る。かかる検出は、たとえば、第１のサービスの使用と同時の第２のサービスの使用が不可能であるかひどく損なわれるかのいずれかであることを検出することによって、第１のサービスの使用と同時の第２のサービスの使用を開始するステップに加えて、実装され得る。
【００２１】
さらに別の実施形態で、前記第１および第２のサービスの無線伝送の間の無線周波数共存問題の実際のまたは潜在的発生を検出するステップは、第１のサービスを使用しているユーザ機器に関して、および第１のサービスの使用と同時に第２のサービスの使用を開始するステップに加えて、第１のサービスの使用と同時の第２のサービスの使用が不可能であるかひどく損なわれるかのいずれかであることを検出するステップを含み得る。
【００２２】
無線アクセス・ネットワーク基盤は、それぞれの周波数帯域でそのネットワーク・ユーザに提供される第１および第２のサービスを分散したオペレータによって操作されるいくつかの基地局を備え得る。別法として、無線アクセス・ネットワーク基盤は、いくつかのオペレータの間のネットワーク共用状況を反映することができ、その場合にそれは両方のオペレータのためにネットワーク・ユーザに第１および第２のサービスのうちの少なくとも１つを提供する基地局を少なくとも備える。３つのサブセットが、２つのオペレータの間の標準的なネットワーク共用構成で無線アクセス・ネットワーク基盤内で識別され得る：第１のオペレータによって操作される１つのサブセットと、第２のオペレータによって操作されるもう１つのサブセットと、第１および第２のサービスのうちの少なくとも１つをそれぞれの加入者に提供するために両方のオペレータによって操作される第３のサブセット。
【００２３】
本発明のもう１つの態様は、ユーザ機器と、少なくとも基地局を備え、第１および第２のサービスのそれぞれをユーザ機器に提供するための第１および第２の周波数帯域で動作するようになされた無線アクセス・ネットワーク基盤との間のデータ通信に割り当てられる無線資源の使用を促進するためのユーザ機器モジュールに関し、そのユーザ機器モジュールは、コントローラ手段、無線周波数回路手段およびアンテナ手段を備える。そのコントローラ手段は、前記第１および第２のサービスの無線伝送の間の無線周波数共存問題の実際のまたは潜在的発生を検出し、検出された無線周波数共存問題に関する情報を無線アクセス・ネットワーク基盤に送信するようになされる。それらはまた、無線アクセス・ネットワークへの伝送前に前記情報を生成するようにさらになされ得る。
【００２４】
一実施形態で、そのコントローラ手段は、メモリ手段と結合され、メモリ手段から無線周波数共存閾値を取り出すことによって無線周波数共存問題の実際のまたは潜在的発生を検出し、前記第１および第２の周波数帯域の間の距離をその閾値と比較するようにさらになされる。
【００２５】
もう１つの実施形態で、そのコントローラ手段はさらに、ユーザ機器が第１のサービスを使用しているとき、第１のサービスの無線受信品質の劣化を検出するようになされる。例示的な一実施形態は、第１のサービスの使用と同時に第２のサービスの使用を開始するための無線周波数回路手段およびアンテナ手段を操作し、第１のサービスの使用と同時の第２のサービスの使用が不可能であるかひどく損なわれるかのいずれかであることを検出するようにさらになされたコントローラ手段によって提供される。
【００２６】
さらに別の実施形態で、コントローラ手段はさらに、ユーザ機器が第１のサービスを使用しているとき、第１のサービスの使用と同時の第２のサービスの使用を開始するための無線周波数回路手段およびアンテナ手段を操作し、第１のサービスの使用と同時の第２のサービスの使用が不可能であるかひどく損なわれるかのいずれかであることを検出するようになされる。
【００２７】
さらに別の態様で、本発明は、かかるユーザ機器モジュールを備えるユーザ機器を提供する。
【００２８】
ユーザ機器は、ＲＦ共存問題の発生を動的に検出することができるオペレータのネットワーク内の唯一の実体であるため、ＵＥは、修正行動が取られ得るように、ネットワークにかかる発生を知らせることができる。これは特に、ＵＥがそのサービスを受信しようと意図しているまたは試みていることをネットワークが認識していない、ブロードキャスト・サービス（ＭＢＭＳなど）の場合である。特に、ＵＥがブロードキャストおよびユニキャスト・サービスを一斉に受信しようと意図するとき、それが別のサービスと同時にブロードキャスト・サービスを受信しようと意図し、両方のサービスの無線伝送の間のＲＦ共存問題を経験し得るノードであろうことをそれは知ることになる。前述は、ＵＥが潜在的または実際のＲＦ共存問題をネットワークに知らせるために有利な立場にある状況の一例を提供する。
【００２９】
検出される無線周波数共存問題に関する情報は、かかる修正行動をネットワークに要求するメッセージで運ぶことができるが、ネットワークへのそのメッセージは単に情報を提供するものでもよい。
【００３０】
無線アクセス・ネットワーク基盤レベルで取られ得る修正行動は、ＲＦ共存問題が存在しない異なる搬送周波数でそれを転送するために、通信のうちの少なくとも１つのハンドオーバを含む。
【００３１】
本発明のさらに別の態様は、デジタル処理モジュール、無線周波数処理モジュール、およびコントローラ・モジュールを備える、ユーザ機器に第１および第２のサービスのそれぞれを提供するための第１および第２の周波数帯域で動作するようになされた、無線アクセス・ネットワーク内の基地局機器に関し、そのデジタル処理モジュールは、ユーザ機器から受信される無線周波数共存問題に関する情報を受信および処理し、かかる情報をコントローラ・モジュールに送信するようになされる。
【００３２】
そのコントローラ・モジュールはさらに、通信が保留中であるユーザ機器についての無線周波数共存問題に関する情報を受信したときに、保留中の通信の再構成を無線周波数処理モジュールからトリガして異なる搬送周波数に保留中の通信を切り替えるようになされ得る。
【００３３】
本発明はまた、プログラムがコンピュータ手段上でロードされ実行されるときに、本発明の実施形態による方法を実装するためのコンピュータ・プログラム製品を提案する。
【００３４】
本発明はまた、本発明の実施形態による方法を実行するためのコンピュータ実行可能命令を含む機械可読媒体も提案する。
【００３５】
本発明はまた、前記第１および第２のサービスの無線伝送の間の無線周波数共存問題の実際のまたは潜在的発生を検出するための第１のコンピュータ実行可能命令と、検出された無線周波数共存問題に関する情報を送信するための第２のコンピュータ実行可能命令とを備え、コンピュータ実行可能命令がプロセッサによって実行されるときにユーザ機器および無線アクセス・ネットワーク基盤の間のデータ通信に割り当てられる無線資源の使用を促進する方法を実行するためのコンピュータ実行可能命令を含む機械可読媒体を提案し、無線アクセス・ネットワーク基盤は、少なくとも基地局を備え、第１および第２のサービスのそれぞれをユーザ機器に提供するための第１および第２の周波数帯域で動作するようになされる。
【図面の簡単な説明】
【００３６】
【図１】ＲＦ共存問題を説明するための図である。
【図２】本発明のシステムのブロック図である。
【図３】デュアル・モードＩＭＢ／ＦＤＤ−ＷＣＤＭＡユーザ機器の例示的機能アーキテクチャを示す図である。
【図４】ノードＢ５００の例示的な機能アーキテクチャを示す図である。
【発明を実施するための形態】
【００３７】
本発明の他の特徴および利点は、添付の図面を参照して、非限定的で例示的な実施形態の以下の説明で明らかとなろう。添付の図面において、図２は、本発明を実装するのに適したシステムのブロック図である。
【００３８】
移動局１ａ、１ｂ、１ｃは、複数の基地局４−５−６をもつ無線アクセス・ネットワーク２と、データを送信する能力のあるコア・ネットワーク３とを備える、無線通信ネットワーク１２と通信する。本発明は、かかる実体をもつ任意のシステムで行われ得るが、それは、以下で、本開示の範囲を制限することなく、ＵＭＴＳタイプ（「ユニバーサル・モバイル・テレコミュニケーション・システム」）の第３世代の無線通信ネットワークのその非限定的アプリケーションにおいて説明され、その無線アクセス・ネットワークはＦＤＤ（「周波数分割二重通信」）モードで動作するノードおよびＴＤＤ（「時分割二重通信」）モードで動作するノードを備える。
【００３９】
図２に示すように、コア・ネットワーク（ＣＮ）３に属するモバイル・サービス８ａ、８ｂ、８ｃのスイッチは、一方を１つまたは複数の固定ネットワーク７に、もう一方を、ｌｕとして知られるインタフェースを用いて、制御機器９、１０、または無線ネットワーク・コントローラ（ＲＮＣ）にリンクされる。各ＲＮＣ９、１０は、ｌｕｂとして知られるインタフェースを用いて、１つまたは複数の基地局４、５、６にリンクされる。ネットワークの到達範囲領域に亘って分散された基地局４、５、６は、ＵＥ（「ユーザ機器」）と呼ばれるモバイル端末１ａ、１ｂ、１ｃと無線によって通信する能力をもつ。「ノードＢ」とも呼ばれる、基地局４、５、６は、それぞれの送受信機を用いて、１つまたは複数のセルにそれぞれ供することができる。ある特定のＲＮＣ９、１０はまた、ｌｕｒとして知られるインタフェースを用いて、互いに通信することができる。ＲＮＣおよび基地局は、「ＵＭＴＳ地上波無線アクセス・ネットワーク」（ＵＴＲＡＮ）２として知られるアクセス・ネットワークを形成する。コア・ネットワーク３は、そのうちのいくつかがＵＴＲＡＮに接続されているＳＧＳＮ（「サービシングＧＰＲＳサポート・ノード」）８ａ、８ｂと呼ばれる相互接続されたスイッチと、ＧＧＳＮ（「ゲートウェイＧＰＲＳサポート・ノード」）８ｃとを備える。ＧＧＳＮ  ８ｃは、外部データネットワーク７、たとえばＩＰ（「インターネット・プロトコル」）ネットワーク、とＵＭＴＳネットワークをインタフェースするためのゲートウェイである。
【００４０】
ＵＭＴＳはＣＤＭＡスペクトル拡散多元接続技法を使用する、即ち、送信される記号は、その速度（ＵＭＴＳの場合には３．８４Ｍｃｈｉｐ／ｓ）が送信される記号のそれよりも大きい「チップ」として知られるサンプルからなる符号を拡散することによって逓倍される。拡散符号は、搬送周波数によって構成される同じ伝送資源に重ね合わされたさまざまな物理チャネルＰｈＣＨを区別する。拡散符号の自動のおよび相互相関特性は、受信機がＰｈＣＨを分け、それに向けられた記号を抽出できるようにする。
【００４１】
ＦＤＤモードでのＵＭＴＳについて、ダウンリンク方向（ノードＢからユーザ機器への伝送）で、スクランブリング符号が各ノードＢに割り当てられ、このノードＢによって使用されるさまざまな物理チャネルは、相互に直交の「チャネライゼイション（ｃｈａｎｎｅｌｉｚａｔｉｏｎ）」符号によって区別される。各ＰｈＣＨについて、大域拡散符号は、「チャネライゼイション」符号および基地局のスクランブリング符号の生成物である。拡散係数（記号レートに対するチップ速度の比率と同等）は、４と５１２の間にある２のべき乗である。この係数は、ＰｈＣＨで送信されることになる記号のビットレートの関数として選択される。さまざまな物理チャネルは、１０ｍｓフレームが基地局によって使用されるＦＤＤ搬送周波数で互いに辿る、フレーム構造に従う。各フレームは６６６μｓのＮ＝１５時間スロットに細分される。各スロットは、共通のチャネルおよび専用チャネルＤＰＣＨ（「専用物理チャネル」）を備える、１つまたは複数の物理チャネルの重ね合わされた寄与（ｓｕｐｅｒｉｍｐｏｓｅｄ  ｃｏｎｔｒｉｂｕｔｉｏｎｓ）を運ぶことができる。
【００４２】
ＵＴＲＡＮは、３ＧＰＰによって２００８年３月に発行された３Ｇ  ＴＳ２５．３０１技術仕様「Ｒａｄｉｏ  Ｉｎｔｅｒｆａｃｅ  Ｐｒｏｔｏｃｏｌ」バージョン７．４．０に記載されるように、無線インタフェース（Ｕｕと呼ばれる）で必要とされるリンクを提供することを目的とするＩＳＯモデルの層１および２の要素と、層３に属する無線資源を制御する（ＲＲＣ、「Ｒａｄｉｏ  Ｒｅｓｏｕｒｃｅ  Ｃｏｎｔｒｏｌ」）段階とを備える。上位層を考慮して、ＵＴＲＡＮは、ＵＥおよびコア・ネットワーク間の単にリレーとして動作する。層１および２は、その特徴が３ＧＰＰによって２００８年８月に発行されたＴＳ２５．３３１技術仕様「ＲＲＣ  Ｐｒｏｔｏｃｏｌ  Ｓｐｅｃｉｆｉｃａｔｉｏｎ」、バージョン７．９．１に記載された、ＲＲＣ副層によってそれぞれ制御される。ＲＲＣ段階は、無線インタフェースを監視し、層３から生じるユーザ・データの処理に対応する「ユーザ計画」とは対照的に、「制御計画」にしたがって遠隔局に送信されることになるストリームも処理する。
【００４３】
図２に戻ると、ＵＴＲＡＮ２は、ＵＥ１ａ、１ｂ、１ｃにブロードキャスト・サービスを配信するための、ＴＤＤモードで動作する、ＲＮＣ１０およびノードＢ６をもつサブネットワークを備える。外部パケット・データ・ネットワーク７で、ビデオ・サーバ１１は、対応する予約購読をもつＵＥ１ｃにブロードキャスト・モード（モバイルＴＶなど）でサービスを提供するように構成される。提供されるサービスは、さまざまなタイプでもよい。以下で、３ＧＰＰによって現在開発され、標準化される、ＩＭＢ（「統合モバイル・ブロードキャスト」）と称されるファミリのサービスをさらに具体的に考察する。ＩＭＢはＵＭＴＳのＴＤＤモードの不可欠な一部として指定されたため、そのアーキテクチャおよび機能の説明は、ＴＤＤモードについての３ＧＰＰ技術仕様書で見ることができる。ＵＴＲＡＮ２内の他のノード（ノードＢ４、５およびＲＮＣ９）は、ＦＤＤモードで動作し、特にユニキャスト・サービスをＦＤＤ搬送周波数でＵＥ１ａ、１ｂ、１ｃに提供している。ＵＥ１ｃは、それがＩＭＢ基盤とのおよびＦＤＤ−ＷＣＤＭＡ基盤との通信を同時に処理するようになされるという意味で、マルチモードＩＭＢ／ＦＤＤ−ＷＣＤＭＡである。図２は、ＩＭＢブロードキャスト・サービスを提供するためのＴＤＤモードで動作するノードＢ６が、ユニキャスト・サービス（ＨＳＰＡサービスなど）を提供するためのＦＤＤモードで動作するノードＢ４、５と異なる、例示的な一実施形態を示すが、ＦＤＤおよびＴＤＤモードの両方で動作するデュアルモード・ノードＢは、本発明の範囲から逸脱することなく、考慮され得る。
【００４４】
本明細書に記載の例示的な実施形態はまた、ＬＴＥネットワークで、または、ＵＴＲＡＮのノードおよびＬＴＥ  ＲＡＮのノードを結合する無線アクセス・ネットワークによって供されるＵＭＴＳ／ＬＴＥデュアル・モードＵＥで実装され得ることに留意されたい。さらに一般的には、本明細書で使用される用語「無線アクセス・ネットワーク」は、特定の多重アクセス方式または技術に限定されず、それぞれが特定のタイプ、ＵＭＴＳ、ＧＳＭ、ＬＴＥ、ＷｉＭＡＸなどである、いくつかの無線アクセス・サブネットワークを含み得る。ＬＴＥが３Ｇ  ＵＭＴＳの進化として設計されるため、そしてまた、通常のＬＴＥネットワークのアーキテクチャ（本明細書で以下に記載されるような）がＵＭＴＳネットワークのうちの１つといくらか類似しているものであるため、このシナリオが想定され得る。通常のＬＴＥネットワークはまた、一方を１つまたは複数のパケット・データ・ネットワーク（ＩＰネットワークなど）に、そして他方を、Ｓ１インタフェースと称される論理インタフェースを用いて、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、進化型ユニバーサル地上波無線アクセス・ネットワーク）と称される無線アクセス・ネットワークにリンクされた、「Ｅｖｏｌｖｅｄ  Ｐａｃｋｅｔ  Ｃｏｒｅ（進化型パケットコア）」（ＥＰＣ）と呼ばれる、コア・ネットワークを備える。ｅノードＢ（もしくはｅＮＢ）と呼ばれる単一のノードが、Ｅ−ＵＴＲＡＮのネットワーク要素として指定されてある。ｅＮＢは、Ｅ−ＵＴＲＡＮによってカバーされる領域に亘って分散され、それぞれが、セルとも呼ばれるそれぞれの無線通達範囲領域を介して、ＬＴＥ専門用語でＵＥとも呼ばれるモバイル端末と無線によって（電波インタフェースで）通信する能力がある。ｅＮＢおよびＵＥの間の論理インタフェースはまた、Ｕｕインタフェースとも称される。ｅＮＢは、相互接続された網目タイプのネットワークを形成し、Ｘ２インタフェースと称される論理インタフェースを用いて互いに通信する。ＵＭＴＳ無線アクセス・ネットワークのノードＢおよびＲＮＣノードの機能は、ｅＮＢである単一のＥ−ＵＴＲＡＮノードに組み込まれてあると概略的に考えることができる。進化型ＵＴＲＡＮはまた、無線インタフェースＵｕで必要とされるリンクを提供することを目的として、層１の物理層と、層２の媒体アクセス制御（ＭＡＣ）層、無線リンク制御（ＲＬＣ）層、パケット・データ収束プロトコル（ＰＤＣＰ）層など、ＩＳＯモデルの層１および２の要素を備える。それはまた、３ＧＰＰによって２００８年１２月に発行された、３ＧＰＰ  ＴＳ３６．３３１技術仕様「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｒａｄｉｏ  Ｒｅｓｏｕｒｃｅ  Ｃｏｎｔｒｏｌ  （ＲＲＣ）；  ｐｒｏｔｏｃｏｌ  ｓｐｅｃｉｆｉｃａｔｉｏｎ  （Ｒｅｌｅａｓｅ  ８）」、バージョン８．４．０に記載されるように、層３に属する無線資源を制御する段階（ＲＲＣ、「無線資源制御」）も備える。
【００４５】
本明細書は、本発明の範囲を逸脱することなしに、１つまたは複数のＴＤＤ周波数帯域が、ＩＭＢなどのブロードキャスト・サービスの代わりに、またはそれに加えて、ダウンリンク方向でＨＳＰＡサービスを提供するために使用される（対応するアップリンク方向はＵＴＲＡＮのＦＤＤスペクトル部分で提供される）、ＴＤＤおよびＦＤＤスペクトルの両方を使用するＵＴＲＡＮに基づくネットワーク構成に同様に置き換えられ得ることにも留意されたい。かかる構成で、ＵＴＲＡＮは、ＴＤＤ帯域で展開される１つまたは複数の追加のダウンリンク搬送波を介してデュアル搬送波／４つの搬送波ＨＳＤＰＡを使用し、ＵＥにＦＤＤ通信を提供する。
【００４６】
ＵＴＲＡＮ２ネットワーク計画は、ＲＦ共存問題が、ＦＤＤモードで動作するノードＢ５によって使用される搬送周波数と、ＴＤＤモードで動作するノードＢ６によって使用される搬送周波数の間で生じることがあり、ＵＥ１ｃの１つまたは複数の無線周波数受信機モジュールの性能を考慮して、ＩＭＢノードＢ６からのＩＭＢブロードキャスト・フローおよびＦＤＤで動作するノードＢ５からのユニキャスト・フローの両方を受信することを試みるときに、ＵＥ１ｃのユーザによって経験され得るというものである。実際に、所与のＵＴＲＡＮ２ネットワーク計画について、ＵＥ１ｃは、無線周波数フィルタがすべてのＲＦ共存干渉信号を効率的に除去することができ、それによってそれをＲＦ共存問題に無反応にするように、指定され得ない。
【００４７】
ユニキャスト・サービス搬送周波数（ノードＢ５）およびブロードキャスト・サービス搬送周波数（ノードＢ６）の間のＲＦ共存問題を検出したときに、ＵＥ１ｃは、それが経験するＲＦ共存問題をアクセス・ネットワークに知らせるメッセージをアクセス・ネットワーク２に送ることができる。このメッセージの受信に応答して、アクセス・ネットワークはブロードキャスト・サービスおよび／またはユニキャスト・サービスを、それらがＲＦ共存問題が存在するものとは異なる搬送周波数で提供されるように、再構成することができる。
【００４８】
ブロードキャスト・サービスの再構成はそのブロードキャストを聴いているすべてのユーザ機器に影響を与えることになるため、ユニキャスト・サービスの再構成の方が優先され得るが、一方でユニキャスト・サービスの再構成は、ＵＥ１ｃのみに影響を与えることになり、それは、かかる再構成が、ＵＴＲＡＮ２とのユニキャスト通信を完了しながらブロードキャスト・フローを聴くことができるＵＥ１ｃをもたらす場合に最終的に目標にされるものである。
【００４９】
以下は、ＵＥ１ｃがＲＦ共存問題の実際のまたは潜在的発生に関連する情報を基盤ネットワーク２に送信することから利益を得ることができる、いくつかの状況を説明する。
【００５０】
第１の例は、ＵＥがオペレータによって使用されるＦＤＤ周波数帯域とのＲＦ共存問題が存在する（オペレータの周波数計画において）帯域のＴＤＤ搬送周波数を使用してブロードキャスト・サービスを受信する状況によって提供される。ＵＥがこの競合するＦＤＤ周波数帯域内のＦＤＤ搬送周波数でＦＤＤ基盤ネットワークから通信を開始するためのページング要求を受信する場合、これは、ＵＥ無線周波数受信機がＵＥを競合する周波数帯域間のＲＦ共存問題に反応しにくくするのに十分な程度よく機能していない場合に、ＵＥがもはやブロードキャスト・サービスを受信しない結果をもたらし得る。ブロードキャスト・サービス割込みの場合、ブロードキャスト・サービスは、競合するＦＤＤ搬送周波数でユニキャスト通信の最後にのみ再開することができる。この状況で、競合するＦＤＤ搬送周波数で送信される、ページング要求はＲＦ共存問題（ＵＥでのブロードキャスト・サービスの受信品質の劣化、またはＵＥでのブロードキャスト・サービスの受信の割込みまでももたらす）をそれ自体の中で明らかにし得るため、ＵＥは、ページング要求を受信したときに、ＲＦ共存問題を検出することができる。次にＵＥは、たとえばページング・メッセージへのその応答で、またはそれに加えて、ページング・メッセージのために選択されたＦＤＤ搬送周波数とのＲＦ共存問題の発生に関するページングをもたらした基盤ネットワークに情報を送信することができる。このメッセージを受信したとき、基盤ネットワークは、行動を取っても、または取らなくてもよい。行動を取る場合、それは、ユニキャスト通信が競合するものとは異なるＦＤＤ搬送周波数で最終的にセットアップされるように、接続を再構成することができる。即ち、それは、競合するものとは異なるＦＤＤ搬送周波数にセットアップされる通信を転送するために、周波数間ハンドオーバをトリガすることができる。周波数間ハンドオーバの結果として、ＵＥはブロードキャストおよびユニキャスト・トラフィックを同時に受信することができることになる。
【００５１】
生じ得る異なる状況は、ＵＥがＦＤＤ搬送周波数でユニキャスト・トラフィックを受信している（または送信している）ものである。ユーザが同時にブロードキャスト・サービスを受信したい場合、ＵＥは、割り当てられたＴＤＤ搬送周波数でブロードキャスト・トラフィックを受信するためにそのＩＭＢレセプタを起動することになる。これは、ＵＥ無線周波数受信機がブロードキャスト・トラフィックが送信される割り当てられたＴＤＤ搬送周波数とＵＥがユニキャスト・トラフィックを受信している（それぞれ送信している）ＦＤＤ搬送周波数との間のＲＦ共存問題にＵＥを反応しにくくするのに十分な程度よく機能していない場合に、オペレータのネットワーク計画次第で、ＲＦ共存問題をもたらし得る。かかるＲＦ共存問題はその後、ブロードキャスト・トラフィックの受信、または、ＵＥおよびＦＤＤネットワーク基盤間のユニキャスト・トラフィックの通信を妨げる、または著しく不利に影響を与え得る。たとえば、ＵＥは、単純にブロードキャスト・トラフィック・フローを正確に受信することができず、ユーザが彼／彼女が要求したブロードキャスト・サービスを使用することができない結果をもたらし得る。ＵＥは次に、自発的に、ＲＦ共存問題をネットワークに知らせるメッセージを送信することができる。このメッセージを受信したときに、基盤ネットワークは、行動を取っても、取らなくてもよい。行動を取る場合、それは、接続を再構成し、競合するものとは異なるＦＤＤ搬送周波数に現在のユニキャスト通信を転送するために、周波数間ハンドオーバをトリガすることができる。これにより、ブロードキャスト・トラフィックの受信における強度の障害の原因が除去される。
【００５２】
潜在的または実際のＲＦ共存問題の検出は、以下の例で説明されるように、通信のセットアップの失敗が、ユニキャスト・モードまたはブロードキャスト・モードであることを必ずしも要しない。ＵＥがＦＤＤ搬送周波数でユニキャスト・トラフィックを受信している（または送信している）状況で、ＵＥユーザは同時にブロードキャスト・サービスを受信したいことがある。要求されたＴＤＤブロードキャスト・サービスの搬送周波数がＵＥから知られた後は、ＵＥは、ＲＦ共存検出アルゴリズムを介して、ＦＤＤユニキャスト・サービスおよびＴＤＤブロードキャスト・サービスの搬送周波数で動作することになる。このアルゴリズムは、それぞれのＴＤＤブロードキャストおよびＦＤＤユニキャスト搬送周波数間の距離を、ＲＦ共存問題に関するＵＥの無線周波数性能を反映するように構築されていることになる参照用テーブル内の１つまたは複数の既定義閾値と比較することになる。したがって、かかるＲＦ共存検出アルゴリズムは、２つの所与の搬送周波数の間の潜在的ＲＦ共存問題と、所与のＴＤＤブロードキャスト搬送周波数および所与のＦＤＤユニキャスト搬送周波数の間のさらに強いものとを検出するのを助けることができる。ＵＥは次に、自発的に、潜在的ＲＦ共存問題をネットワークに知らせるメッセージを送信することができる。このメッセージを受信したとき、基盤ネットワークは、行動を取っても、または取らなくてもよい。行動を取る場合、それは、接続を再構成し、潜在的に競合するものとは異なるＦＤＤ搬送周波数に現在のユニキャスト通信を移動するために、周波数間ハンドオーバをトリガすることができる。搬送周波数間の前述の距離は、搬送周波数それら自体の間の距離、または、たとえば、第１の搬送周波数に対応する第１の周波数帯域の上方境界と考慮中の第２の搬送周波数に対応する第２の周波数帯域の下方境界の間の距離を含み得ることに留意されたい。
【００５３】
もう１つの状況は、ＵＥが移動中の状況である。ＵＥがユニキャスト・トラフィックをＦＤＤネットワーク基盤と交換しながら、１つのセルからもう１つのセルへ移動するかかる状況で、その移動性はＦＤＤネットワーク基盤レベルでのハンドオーバ手続きをトリガすることになる。その移動中に、ＵＥがブロードキャスト・サービスを受信する要求を送信する場合、ＦＤＤ基盤ネットワークが適宜にハンドオーバ手続きを管理することができるように、ＵＥは、その要求とともにまたはそれに加えて、それがそのブロードキャスト・サービスを受信しようとするＴＤＤ搬送周波数を識別する情報を提供することができる。たとえば、ＦＤＤ基盤は、ＵＥのユニキャスト・トラフィックに現在割り当てられたものがＵＥによって識別されるＴＤＤ搬送周波数と競合する場合に、ＵＥによって識別されるＴＤＤ搬送周波数と競合するＦＤＤ搬送周波数へのハンドオーバを完了することをやめることができ、または反対に、競合しないＦＤＤ搬送波へのハンドオーバの完了を加速することを決定することができる。
【００５４】
図３には、デュアル・モードＩＭＢ／ＦＤＤ−ＷＣＤＭＡユーザ機器４００の例示的機能アーキテクチャが示される。ＷｉＦｉまたはＷｉＭＡＸまたはＷＣＤＭＡワイヤレス・カードを装備した、セルラ電話、パーソナル・デジタル・アシスタント（ＰＤＡ）、ページャ、携帯電話、ラップトップがユーザ機器の例である。ユーザ機器は、ユニキャストＦＤＤ−ＷＣＤＭＡモードならびにＩＭＢサービスで通信を処理する能力がある。ユニキャスト・モードでの通信は２Ｇ無線アクセス基盤ネットワーク、３Ｇ無線アクセス基盤ネットワーク（図２に示すＵＴＲＡＮなど）、または４Ｇネットワーク（たとえば、ｅＵＴＲＡと称される、ロング・ターム・エボリューション（ＬＴＥ）無線アクセス・ネットワークなど）を使用していることがあるので、本例は非限定的であることに留意されたい。ユーザ機器４００は、ＩＭＢブロードキャスト・フローを受信および処理するための、第１のアンテナ手段４０１ａとそれ自体が結合された第１の無線周波数（ＲＦ）回路４０３ａと結合された、第１の送信／受信モジュール／コントローラ４０２ａを備える。また、図３には、たとえばＦＤＤモードでＵＭＴＳシステムの電波インタフェース仕様にしたがって、無線アクセス基盤ネットワークとユニキャスト・モードで通信するための、第２のアンテナ手段４０１ｂとそれ自体が結合された第２のＲＦ回路４０３ｂと結合された、第２の送信／受信モジュール／コントローラ４０２ｂが示される。２セットのアンテナ手段４０１ａ、４０１ｂ、ＲＦ回路４０３ａ、４０３ｂおよび送信／受信モジュール／コントローラ４０２ａ、４０２ｂは、ＷＣＤＭＡサービスおよびＩＭＢサービスの同時の使用を可能にする目的で、一方のセットをＩＭＢ技術の専用にさせそれにしたがって動作させ、他方のセットをＷＣＤＭＡ  ＦＤＤ技術に専用させそれにしたがって動作させるように使用される。図３はそれらの２つの別個のセットのＲＦ回路および送信／受信モジュール／コントローラをもつ機能アーキテクチャを示すが、それらは、別個の回路およびチップセットにまたは単一の回路および／または単一のチップセットに実装され得ることを理解されたい。即ち、マルチモードＩＭＢ／ＷＣＤＭＡ  ＲＦ回路および／またはマルチモードＩＭＢ／ＷＣＤＭＡチップセットは、各モードについての別個の回路素子の代わりに、ユーザ機器４００に組み込まれ得る。
【００５５】
ＴＤＤ送信／受信コントローラ４０２ａの受信セクションは、ユーザ機器４００のユーザが人間−機械インタフェース・モジュール４０５を介してＩＭＢブロードキャスト・フローの受信を要求するときにはいつでも、中央コントローラ４０４によって起動される。
【００５６】
それを行う前に、一実施形態によれば、ＵＥ４００が既に送信／受信コントローラ４０２ｂ、ＲＦ回路４０３ｂおよびアンテナ手段４０１ｂを介してユニキャスト・モードでの通信に関与する場合、中央コントローラ４０４は、要求されたＩＭＢブロードキャスト・フローのＴＤＤ周波数搬送波および進行中のユニキャスト通信によって使用されるＦＤＤ周波数搬送波の間の距離をメモリモジュール４０６に保持される閾値と比較することによって、ＲＦ共存問題検出アルゴリズムを実行することになる。
【００５７】
もう１つの実施形態によれば、ＵＥ４００のユーザは、ＵＥ４００が既に送信／受信コントローラ４０２ａを介してブロードキャスト・モードの通信に関与した後は、ユニキャスト・モードでの通信の開始を要求することができる。同様の状況は、ユニキャスト通信がＵＥ４００によって要求されないが、ＵＥ４００によって無線アクセス・ネットワークから受信される状況である。かかる場合に、要求されたユニキャスト通信とのＲＦ共存問題がブロードキャスト・フローの受信品質の劣化をもたらす場合、ＴＤＤ送信／受信コントローラ４０２ａは、かかる劣化を検出することになり、中央コントローラ４０４にかかる劣化を知らせることになる。中央コントローラ４０４は今度は、ユニキャスト通信のＦＤＤ搬送周波数およびブロードキャスト・サービスのＴＤＤ搬送周波数の間のＲＦ共存問題に関する情報を含む特定のＲＦ共存問題メッセージを生成することになる。そのメッセージは次に、それを使ってＵＥ４００が通信中である無線アクセス・ネットワークに、好ましくはＦＤＤ送信／受信チェーン４０２ｂ、４０３ｂおよび４０１ｂを介して、送信されることになる。代替として、それは、ＵＥ４００が通信中の無線アクセス・ネットワークに送信されることになるフィードバック・メッセージにかかる情報を挿入することになる。
【００５８】
さらに別の実施形態によれば、中央コントローラ４０４は、ＴＤＤ送信／受信コントローラ４０２ａに要求を送ることになり、要求されたＩＭＢブロードキャスト・フローのデータ・フローをそれに応答して受信することを期待することになる。かかる応答のない場合、または、要求されたブロードキャスト・フローの受信品質が著しく損なわれているというＴＤＤ送信／受信コントローラ４０２ａからの応答を受信したときに、中央コントローラ４０４は、ユニキャスト通信のＦＤＤ搬送周波数および要求されたブロードキャスト・サービスのＴＤＤ搬送周波数の間のＲＦ共存問題に関する情報を含む特定のＲＦ共存問題メッセージを生成することになる。そのメッセージは次に、好ましくはＦＤＤ送信／受信チェーン４０２ｂ、４０３ｂおよび４０１ｂを介して、ＵＥ４００が通信中の無線アクセス・ネットワークに送信されることになる。代替として、それは、ＵＥ４００が通信中の無線アクセス・ネットワークに送信されることになるフィードバック・メッセージにかかる情報を挿入することになる。
【００５９】
図４には、ノードＢ５００の例示的な機能アーキテクチャを示す。基底帯域処理セクション５０３は、通信チャネルでのＩＳＯ層１〜３処理（ダウンリンクでの移送チャネルの物理チャネルへの符号化および多重化、チャネライゼイションおよびスクランブリングと、アップリンクでのスクランブル解除、収束、逆多重化および復号化とを含む）を行う処理モジュール５０３ａ〜５０３ｄのバンクを備える。無線周波数回路モジュール５０２は、基底帯域処理セクション５０３に由来する信号の形成、周波数転置、および、アンテナ手段５０１ａ〜５０１ｂを介して信号を送信する必要とされる形の他の無線処理などの無線周波数処理を実行する。ノードＢはまた、ｌｕＢインタフェース仕様にしたがって、ノードＢ５００を監視するＲＮＣとのインタフェース連結を提供するインタフェース・モジュール５０５を含む。コントローラ５０４は、異なるセクション５０３（基底帯域処理）、５０５（インタフェース連結）および５０２（ＲＦ）の間のデータ・フロー、ならびに、異なるセクションで、特に基底帯域処理モジュール５０３ａ〜５０３ｄで、行われるすべての処理タスクを管理する。この例示的な実施形態で、処理モジュール５０３ａ〜５０３ｄはそれぞれ、ＵＥから受信された無線周波数共存問題に関する情報を受信および処理し、コントローラ５０４に知らせるようになされる。コントローラ５０４は、その通信を異なる搬送周波数にシフトするために、保留中のＦＤＤモード（たとえばＨＳＤＰＡ）通信のＲＦ再構成をＲＦ回路５０２でトリガするようになされる。
【００６０】
以下は、ＵＥがネットワークに無線周波数共存問題の実際のまたは潜在的発生に関するフィードバック情報を送ることができる、いくつかの例示的な方式を提供する。かかる情報は、たとえば、前述のＲＲＣプロトコルにしたがって、新しいおよび特定のメッセージで運ぶことができる。それはまた、接続セットアップ手続き（ＲＲＣ接続要求メッセージ、またはＲＲＣ接続セットアップ完了メッセージなど）に関連するものなど、現存のＲＲＣプロトコル・メッセージで運ぶこともできる。
【００６１】
送信される情報は、単独でまたは関連競合チャネル周波数の識別とともに、ＲＦ共存問題の指示を備えることができる。それは、ＲＲＣプロトコルにしたがって新しいまたは既存のメッセージで前述のように含まれることになる情報要素（ＩＥ）で運ぶことができる。
【００６２】
さまざまな前述の方法のステップはプログラムされたコンピュータによって実行され得ることが、当業者には容易に理解されよう。本明細書において、いくつかの実施形態はまた、機械またはコンピュータ可読であり、前記前述の方法のステップのうちのいくつかまたはすべてを実行する命令の機械実行可能またはコンピュータ実行可能プログラムを符号化する、デジタル・データ記憶媒体など、プログラム記憶デバイスを包含するものである。プログラム記憶デバイスは、デジタル・メモリ、磁気ディスクおよび磁気テープなどの磁気記憶媒体、ハードドライブ、または光学的に可読のデジタル・データ記憶媒体などでもよい。実施形態はまた、前述の方法の前記ステップを実行するようにプログラムされたコンピュータを包含するものである。
【００６３】
本記載および図面は単に、本発明の原理を説明するものである。したがって、本明細書に明示的に記載または示されていなくても、本発明の原理を実施する、その趣旨および範囲に含まれる、さまざまな配列を当業者は考案することができようことが理解されよう。さらに、本明細書で挙げられたすべての例は、本発明の原理および当分野を促進するために１人または複数の本発明者によって寄与される概念を読者が理解するのを助けるための教育的目的のみを明確に専ら意図されており、かかる具体的に挙げられた例および条件に限定されないものとして解釈されるべきである。さらに、本発明の原理、態様、および実施形態、ならびにそれらの特定の例を挙げる本明細書のすべての記述は、それらの相当物を含むものである。
【００６４】
「プロセッサ」または「コントローラ」としてラベル表示された機能ブロックを含む、図３および４に示すさまざまな要素の機能は、専用ハードウェア、ならびに適切なソフトウェアと関連してソフトウェアを実行する能力のあるハードウェアの使用を介して、提供され得る。プロセッサによって提供されるとき、それらの機能は、単一の専用プロセッサによって、単一の共用プロセッサによって、または、それらのうちのいくつは共用され得る、複数の個々のプロセッサによって、提供され得る。さらに、用語「プロセッサ」または「コントローラ」の明示的使用は、ソフトウェアを実行する能力のあるハードウェアを排他的に指すものとして解釈されるべきではなく、黙示的、非限定的に、デジタル信号プロセッサ（ＤＳＰ）ハードウェア、ネットワーク・プロセッサ、特定用途向け集積回路（ＡＳＩＣ）、書換え可能ゲートアレイ（ＦＰＧＡ）、ソフトウェアを保存する読出し専用メモリ（ＲＯＭ）、ランダム・アクセス・メモリ（ＲＡＭ）、および非揮発性記憶装置を含み得る。従来型のおよび／またはカスタムの、他のハードウェアもまた含まれ得る。同様に、図に示すスイッチは、ただ概念的なものである。それらの機能は、プログラム論理の動作を介して、専用論理を介して、プログラム制御および専用論理の対話を介して、または手動でも、実行することができ、コンテキストからさらに具体的に理解されるように、個々の技法は実装者によって選択可能である。
【図１】
0005462372.tif 000002
【図２】
0005462372.tif 000003
【図３】
0005462372.tif 000004
【図４】
0005462372.tif 000005